(57)【特許請求の範囲】
【請求項１】
各基台が基台本体と複数の溝と複数の位置決め用差込穴とを含み、前記溝が前記基台本体に位置し、前記複数の位置決め用差込穴が前記溝内に位置し、前記位置決め用差込穴の深さが前記溝の深さより深い複数の基台と、
各連接棒が主柱部と複数の曲り管差込部とを含み、前記曲り管差込部が前記主柱部の両端から同じ方向に湾曲して延伸し、２個の前記基台の前記位置決め用差込穴内に挿設され、前記主柱部の少なくとも一部が前記溝内に嵌設されることで２個の前記基台を前記連接棒の両端に固定させる複数の連接棒と、
前記基台に固定される複数の平板と、を含むことを特徴とする、
サイズ調整可能な組立式パレット。
【請求項２】
各基台が基台本体と複数の溝と複数の位置決め用差込穴とを含み、前記溝が前記基台本体に位置し、前記複数の位置決め用差込穴が前記溝内に位置し、前記位置決め用差込穴の深さが前記溝の深さより深い複数の基台と、
各連接棒が主柱部と複数の曲り管差込部とを含み、前記曲り管差込部が前記主柱部の両端から同じ方向に湾曲して延伸し、２個の前記基台の前記位置決め用差込穴内に挿設され、前記主柱部の少なくとも一部が前記溝内に嵌設されることで２個の前記基台を前記連接棒の両端に固定させる複数の連接棒と、
前記連接棒に固定される複数の平板と、を含むことを特徴とする、
サイズ調整可能な組立式パレット。
【請求項３】
各前記平板は、接着接合、ヒートシール又は締結方法で前記基台本体上に固定されることを特徴とする請求項１に記載のサイズ調整可能な組立式パレット。
【請求項４】
各前記基台本体は、位置決め部を更に含み、各前記平板が結合部を含み、前記結合部が前記位置決め部に嵌合されることで前記平板を前記基台本体上に固定することを特徴とする請求項１に記載のサイズ調整可能な組立式パレット。
【請求項５】
各前記基台本体は、対向する第１面と第２面を更に含み、前記溝と前記位置決め用差込穴が第１面上に位置することを特徴とする請求項３又は４のいずれか一項に記載のサイズ調整可能な組立式パレット
【請求項６】
前記位置決め部は、前記第１面或いは前記第２面に位置することを特徴とする請求項５に記載のサイズ調整可能な組立式パレット。
【請求項７】
各前記平板は、前記主柱部上に嵌合される嵌合溝を含むことを特徴とする請求項２に記載のサイズ調整可能な組立式パレット。
【請求項８】
少なくとも１枚の前記平板と１本の前記連接棒は、一体成形とすることを特徴とする請求項２に記載のサイズ調整可能な組立式パレット。
【請求項９】
各前記位置決め用差込穴は、係止部を含み、各前記連接棒が前記曲り管差込部上に位置する位置決め部を更に含み、前記曲り管差込部が前記位置決め用差込穴内に挿設された時、前記位置決め部を前記係止部に結合して前記曲り管差込部を前記基台上に固定することを特徴とする請求項１又は２のいずれか一項に記載のサイズ調整可能な組立式パレット。
【請求項１０】
前記主柱部は、曲がり部を含み、２本の前記連接棒が重ね合わせた時、いずれかの前記連接棒の曲がり部を他の前記連接棒の前記主柱部上に重ね合わせることを特徴とする請求項１或いは２のいずれか一項に記載のサイズ調整可能な組立式パレット。
【請求項１１】
前記基台本体は、複数の梁柱状構造を含むことを特徴とする請求項１或いは２のいずれか一項に記載のサイズ調整可能な組立式パレット。
【発明の詳細な説明】
【技術分野】
【０００１】
本発明は、パレット構造に関し、特に、サイズ調整可能な組立式パレットに関する。
【背景技術】
【０００２】
一般的に知られているプラスチック製パレットの大半は、一体成形であるため、サイズが異なるプラスチック製パレットを使用しようとする場合、相応しい金型で製造する必要があった。しかし、金型費用が非常に高く、且つパレットが衝突により破損した場合、小さい破損であったとしてもパレット全体を廃棄しなければならなくなる。低コストでありながら高利用率のパレットをどのように製造するかが、以前から当業者が解決しようとする課題となっていた。
【発明の概要】
【発明が解決しようとする課題】
【０００３】
本発明は、上記の従来技術の問題を解決するため、横方向、縦方向におけるサイズを調整できるサイズ調整可能な組立式パレットを提供することを目的とする。
【課題を解決するための手段】
【０００４】
本発明は、各基台が基台本体と複数の溝と複数の位置決め用差込穴とを含み、複数の溝が基台本体に位置し、複数の位置決め用差込穴が複数の溝内に位置し、複数の位置決め用差込穴の深さが複数の溝の深さより深い複数の基台と、各連接棒が主柱部と複数の曲り管差込部とを含み、複数の曲り管差込部が主柱部の両端から同じ方向に湾曲して延伸し、２個の基台の複数の位置決め用差込穴内に挿設され、主柱部の少なくとも一部が複数の溝内に嵌設されることで２個の基台を連接棒の両端に固定させる複数の連接棒と、複数の基台に固定される複数の平板と、を含むサイズ調整可能な組立式パレットを提供する。
【０００５】
本発明は、各基台が基台本体と複数の溝と複数の位置決め用差込穴とを含み、複数の溝が基台本体に位置し、複数の位置決め用差込穴が複数の溝内に位置し、複数の位置決め用差込穴の深さが複数の溝の深さより深い複数の基台と、各連接棒が主柱部と複数の曲り管差込部とを含み、複数の曲り管差込部が主柱部の両端から同じ方向に湾曲して延伸し、２個の基台の複数の位置決め用差込穴内に挿設され、主柱部の少なくとも一部が複数の溝内に嵌設されることで２個の基台を連接棒の両端に固定させる複数の連接棒と、複数の連接棒に固定される複数の平板と、を含むサイズ調整可能な組立式パレットも提供する。
【発明の効果】
【０００６】
本発明のサイズ調整可能な組立式パレットは、以下の利点を有する。連接棒の曲り管差込部を基台上の異なる差込穴に挿入することで、両基台の間隔を調整でき、組立式パレットの横方向と縦方向における寸法を調整することができることで、実際の必要性に応じて自由に組立と調整ができ、柔軟性や利便性が非常に高い。衝突により基台の破損が起きた時、新しい基台に取り替えることができ、パレットの利用率が２回或いは複数回にアップするため大幅にコストを削減できる。また、基台の内部が梁柱状構造であり、例えばＨ形、Ｉ形又はＸ形とすることで、基台の重量を減らしながら支持の強度を大幅に高めることができる。このほかに、連接済みの基台と連接棒は、平坦な枠組を形成できるため、該枠組の構造が丈夫で安定し、各部の間で移動或いは変位が生じず、重量物を運搬・載置した時にも非常に安全である。
【０００７】
以下に、実施形態において本発明の詳細な特徴及び利点を詳述する。その内容は当業者に本発明の技術内容を十分理解させられると共にこれをもって実施できる。また、本明細書で開示される内容、特許請求の範囲及び図面に基づけば、当業者は簡単に本発明に係わる目的及び利点を理解することもできる。
【図面の簡単な説明】
【０００８】
【図１】本発明の実施例１に係る外観を示す模式図である。
【図２】本発明の実施例１に係る基台の外観を示す模式図である。
【図３】本発明の実施例１に係る基台を連接棒と結合する前の断面図である。
【図４】本発明の実施例１に係る複数の連接棒の外観を示す模式図である。
【図５】本発明の実施例１の側面図である。
【図６Ａ】本発明の実施例１に係る連接棒の上面図（一）である。
【図６Ｂ】本発明の実施例１に係る連接棒の上面図（二）である。
【図６Ｃ】本発明で使用する円柱体基台の上面図である。
【図６Ｄ】本発明で使用する正方体と円柱体の基台の上面図である。
【図７】本発明に係る基台とパネルを結合した別の態様外観を示す模式図である。
【図８】本発明の実施例１に係る枠組の上面図である。
【図９】本発明の実施例２の外観を示す模式図である。
【図１０】本発明のパネルと連接棒を結合した別の態様外観を示す模式図である。
【図１１Ａ】本発明の実施例３に係る複数のパネルの上面図（一）である。
【図１１Ｂ】本発明の実施例３に係る複数のパネルの底面図である。
【図１２】本発明の実施例３に係る複数のパネルの上面図（二）である。
【図１３】本発明の実施例３に係る複数のパネルの上面図（三）である。
【発明を実施するための形態】
【０００９】
（実施例１）
図１、図２、図３及び図４を参照する。これらは、本発明のサイズ調整可能な組立式パレット１の実施例１であり、図１は外観を示す模式図、図２が基台の外観を示す模式図、図３が基台が連接棒と結合する前の断面図、図４が複数の連接棒の外観を示す模式図である。
本発明のサイズ調整可能な組立式パレット１は、複数の基台２０と複数の連接棒３０Ａと複数のパネル５０Ａとを含む。
【００１０】
基台２０は、プラスチック押出成形で、基台本体２３と複数の溝２１と複数の位置決め用差込穴２２とを含み、複数の溝２１が基台本体２３に位置し、溝２１が水平、垂直（図６Ａ及び図６Ｂ）或いは斜め方向（図６Ｃ）を呈して設けられる。複数の位置決め用差込穴２２は、複数の溝２１内の内側面上に位置し、且つ複数の位置決め用差込穴２２の深さが複数の溝２１の深さより深く、図２と図５に示されるように、溝２１の交差箇所又は所定箇所に複数の差込穴２２を設ける。このほかに、基台２０は正方体（図６Ａ及び図６Ｂ）、長方体或いは円柱体（図６Ｃ）等の様々な形状とすることができるものとするが、本発明はこれに限るものではない。
図６Ａ及び図６Ｂのように、複数の完全に正方体の基台本体２３をパレット構造として組み立てることができる。各正方体の基台本体２３にある複数の溝２１が複数の略十字形を呈して配列される。
図６Ｃに示されるように、複数の完全に円柱体の基台本体２３をパレット構造として組み立てることができる。各円柱体の基台本体２３にある複数の溝２１が略米字形を呈して配列され、十字形の溝２１上に斜め方向溝２１を追加し、且つ各溝２１内の内側面にも各方向の必要な複数の差込穴２２も設け、円柱体の基台本体２３がフォークリフト（或いは「パレット運搬車」という）に衝突する時、円弧面の、円滑な非直角に衝突する作用をさせる。
このほかに、正方体の基台本体２３と円柱体の基台本体２３は、任意に組み合わせて使用できる。例えば図６Ｄに示すように、円柱体の基台本体２３が複数の正方体の基台本体２３の中央に設けられ、図６Ａ中央の正方体の基台本体２３を円柱体の基台本体２３に交換する。
【００１１】
本実施例において基台２０の基台本体２３の内部は、中空の梁柱状構造２３１を呈する。これは、例えばＨ形、Ｉ形又はＸ形等の様々な形状で、基台の重量を減らしながらその支持強度を大幅に高めることができる。次に、基台本体２３は、対向する第１面２３Ａと第２面２３Ｂを有し、複数の溝２１と複数位置決め用差込穴２２が第１面２３Ａ上に設けられる。
【００１２】
図２に示すように、基台本体２３の第２面２３Ｂに複数の位置決め部２５を設け、そこで、位置決め部２５を凸起構造とすることができる。ただし先に述べた位置決め部２５の構造と位置の説明は例として挙げただけであって、本発明はこれに限るものではなく、複数の位置決め部２５は第１面２３Ａに設けることもでき、或いは凹み状の構造とすることができる。
【００１３】
連接棒３０Ａは、各基台２０への連接、位置決めと固定に用いられ、主に主柱部３１Ａと主柱部３１Ａの両端に位置する曲り管差込部３２Ａからなることができ、全体的にみると、略逆凹字形を呈する。また、主柱部３１Ａの直径を基台の溝２１の深さと同一とする。主柱部３１Ａが基台２０の溝２１内に収容され且つ位置決めされることで、溝２１の表面から突出しない。主柱部３１Ａを溝２１内にリミットして固定させることもでき、２つの曲り管差込部３２Ａは、各々２個の基台２０の位置決め用差込穴２２内に挿入され、図３及び図４に示すように位置決め用差込穴２２内には例えば係止部２２１のようなロック装置が設けられるため、曲り管差込部３２Ａが位置決め用差込穴２２に挿入された後、自動的に係止部２２１と係合し、連接棒の曲り管差込部３２Ａが位置決め用差込穴２２内から緩み抜けることがないので、更に基台２０の位置決め作用を発揮でき、また主柱部３１Ａが溝２１内から滑り出ることを防止できる。また、基台２０上表面の溝２１内に複数の位置決め用差込穴２２を設けるため、曲り管差込部３２Ａを異なる位置決め用差込穴２２に挿入することによって両基台２０の間隔を調整でき、組立式パレット１全体の横方向、縦方向における寸法を調整させることができ、異なる実際の需要を満たす。連接棒３０Ａの主柱部３１Ａは、異なる寸法とすることができ、図６Ａのような長い主柱部３１Ａと短い主柱部３１Ａを組み合わせて使用するか、又は図６Ｂのような複数の短い主柱部３１Ａを使用する。また、図６Ａに示すように、短い連接棒３０Ａは、中央部にある基台２０に連接するために用いられ、長い連接棒３０Ａは外側辺にある各基台２０に連接するために用いることができる。
【００１４】
複数の連接棒３０Ａと基台２０は組み立てた後、安定した枠組を形成し、主柱部３１Ａが基台２０の溝２１内に収容され且つ位置決められる。このため、枠組の上表面が平坦で、上表面が前記パネル５０Ａ（図５）を取り付けるために用いられ、該枠組がパネル５０Ａ上に固定された後、パネル５０Ａに凸起が生じないため実用性が高まる。
【００１５】
本発明においては、図６Ａに示すように、基台２０上に複数の位置決め用差込穴２２を設けるため、基台２０を位置決めるために用いられる複数の連接棒３０Ａが互いに平行、或いは一直線上に配列でき、若しくは互いに垂直で且つ交わらない。また、図４に示すように連接棒３０Ａも交差状を呈して設けられることができ、この時交差箇所にある主柱部３１Ａを押圧して平らにし、これにより連接棒３０Ａが溝２１内に収容されて、溝２１の上表面から突出しないように確保し、連接後の基台２０の表面も平坦状態に保たせる。
【００１６】
本実施例において、連接棒３０Ａは、主に金属材質で製造された管材で、例えば方形管、円形管、台形管等とすることができるが、本発明はこれに限るものではない。
【００１７】
パネル５０Ａは、プラスチック合板、紙ハニカム板又は複合板とすることができ、また係合、接着接合（図５）、締結、若しくは同材質のヒートシール方法を通じて基台本体２３上に固定される。パネル５０Ａは第１面２３Ａ或いは第２面２３Ｂ上に固定されて組立式パレット１を構成すると、フォークリフト（パレット運搬車とも呼ばれる）を組立式パレット１に差し込んで、持ち上げて運搬できる。
【００１８】
係合方式で固定する時、基台２０の第２面２３Ｂに複数の位置決め部２５（図７）を設け、パネル５０Ａ上の位置決め部２５と対応する位置に結合部５１Ａを設け、結合部５１Ａが位置決め部２５に嵌合されることで、基台２０をパネル５０Ａ上に固定する。
本実施例において、位置決め部２５が凸形構造で、結合部５１Ａが凹形構造とすることができる。ただし本発明はこれに限るものではなく、位置決め部２５が凹形構造で、結合部５１Ａが凸形構造とすることができる。このほかに、位置決め部２５は基台２０の第１面２３Ａ上に設けさせることもできる。
【００１９】
本発明の実施例１において、組み立て時、基台２０間が連接棒３０Ａを通じて連接して位置決めされ、連接棒３０Ａの曲り管差込部３２Ａが基台２０の位置決め用差込穴２２内に挿入されることで、連接し且つ固定された基台２０と連接棒３０Ａによって１つの平坦な枠組（図８）を構成させることができる。この枠組の構造は丈夫で安定し、各部の間で移動或いは変位が生じない。最後にパネル５０Ａを接着接合、係合或いはヒートシール等の異なる固定方法でこの枠組上に固定する。
【００２０】
図６Ａに示すように、基台２０Ｂは基台２０Ａと基台２０Ｃの間に位置し、１本の連接棒３０Ａで基台２０Ａと基台２０Ｃを連接し、連接棒の主柱部３１Ａの一部が基台２０Ｂの溝２１内に収容される。これから分かるように、１本の連接棒３０Ａは２個の基台２０Ａ、２０Ｃを固定し位置決めすることができるならば、同時に３個の基台２０Ａ、２０Ｂ、２０Ｃを固定し位置決めすることもできる。
【００２１】
（実施例２）
図９を参照する。図９は本発明のサイズ調整可能な組立式パレット１の実施例２の外観を示す模式図である。実施例２において、平板は連接棒３０Ｂ上に固定される。
【００２２】
ここで、平板と連接棒３０Ｂは、一体成形とすることができる。連接棒３０Ｂは、シート状連接棒３０Ｂとすることができ、プラスチック押出成形で間中にある平板部３６Ｂと平板部３６Ｂ両端にある主柱部３１Ｂ（主柱部３１Ｂが平板部３６Ｂを貫通する）と２個の曲り管差込部３２Ｂからなり、平板部３６Ｂが中空の梁柱状構造を呈することで、連接棒３０Ｂの強度を増強できる。
【００２３】
ここで、シート状連接棒３０Ｂの間中にある平板部３６Ｂは、実施例１内のパネル５０Ａを代替できる。二者の作用は同じであり、言い換えると、平板と連接棒３０Ｂを一体成形とする構造である。
図９に示すように、基台２０上に階段部２８を設け、組み立てる時平板部３６Ｂの端部がちょうど基台２０の階段部２８内に当接して係止され、この場合シート状連接棒３０Ｂの主柱部３１Ｂが基台２０の溝２１内に収容され且つ位置決めされ、両曲り管差込部３２Ｂが２個の基台２０の位置決め用差込穴２２内に各々挿入される。
【００２４】
基台２０はパレット構造の周縁（全ての隅角部）及びパレットの中央エリアに固定され、そこで曲り管差込部３２Ｂが基台２０上の異なる差込穴２２に挿入されて両基台２０の間隔（図２のようないずれかの異なる位置の差込穴２２箇所）を調整でき、組立式パレット１の横方向、縦方向における寸法を調整する目的を達成できる。
【００２５】
図１０を参照する。図１０は平板が連接棒上に固定される別の態様を示す。ここでは、パネル５０Ａが裏面に１個又は複数の嵌合溝５７Ａを有し、パネル５０Ａを連接棒３０Ａ上に固定することができる。嵌合溝５７Ａは細長い溝で、溝の断面からみると、溝が略Ω形状を呈し、溝の内部幅が開口部の幅より大きく、開口部の幅が連接棒３０Ａの幅より小さい。更に説明すると、溝内側の一面と外側の表面は略垂直を形成し、溝内側の他面と外側の表面が非垂直を形成して他面が傾斜形状を呈させることで、連接棒３０Ａを開口部から簡単に溝内に嵌め込んで固定させることができる。
【００２６】
（実施例３）
図１１Ａ、図１１Ｂ及び図１２を参照する。これらの図は、本発明のサイズ調整可能な組立式パレット１の実施例３を示す。図１１Ａは複数のパネルの上面図（一）、図１１Ｂが複数のパネルの底面図、図１２が複数のパネルの上面図（二）である。実施例３において、複数のパネル５０Ｂ或いは５０Ｃで実施例１内のパネル５０Ａを代替する。
【００２７】
本実施例において、各基台２０間は連接棒３０Ａを通じて連接、位置決めされ、連接棒３０Ａの曲り管差込部３２Ｂが基台２０の位置決め用差込穴２２内に挿入できる。
図８及び図１１Ａに示すように、複数の小型パネル５０Ｂで大型パネル５０Ａを代替できる。パネル５０Ｂは、プラスチック押出成形で例えばＸ、Ｈ、II等の形状のような中空の梁柱状構造を呈することで、パネル５０Ｂの強度を増強する。ここで、パネル５０Ｂの裏面には複数の嵌合溝５７Ｂと嵌合溝５７Ｂ内にある隠し係止材５８Ｂ（図１１Ｂ）を有し、パネル５０Ｂが連接棒３０Ａ上に固定され、且つ複数の小型パネル５０Ｂの間が平行するよう設けられる。嵌合溝５７Ｂの個数は３本で、各々パネル５０Ｂ裏面の上部、中部、下部に位置することが好ましい。
【００２８】
図１２に示すように、パネル５０Ｃでパネル５０Ｂを代替できる。パネル５０Ｃは、プラスチック押出成形で例えばＸ、Ｈ、II等の形状のような中空の梁柱状構造を呈することで、パネル５０Ｃの強度を増強する。パネル５０Ｃの両端に平板頭５１Ｃ及び平板頭５１Ｃ上にある係止材５１１Ｃを設け、係止材５１１Ｃを丸棒とすると共に係止材５１１Ｃを基台２０の位置決め用差込穴２２内に挿入することで、パネル５０Ｃを基台２０上にロックし、また嵌合溝５７Ｃで複数の連接棒３０Ａの主柱部３１Ａを嵌合し、パネル５０Ｃを連接棒３０Ａ上に固定させる。
【００２９】
また、平板頭５１Ｃ上に複数の凸部５１１Ｄ（図１３）を設けて係止材５１１Ｃを代替できる。凸部５１１Ｄが基台２０の溝２１内に挿入されることで、パネル５０Ｃを基台２０上にロックできる。パネル５０Ｃは、パレット構造の周縁と中央部に設けられ、且つパネル５０Ｂと平行できる。このほかに、パネル５０Ｃの間が互いに平行し又は一直線上にあり、連接棒３０Ａの間が互いに平行し、且つパネル５０Ｂ、５０Ｃと互いに垂直状を呈する。
【００３０】
複数の連接棒３０Ａとパネル５０Ｃは各基台２０と各パネル５０Ｂを一緒に連接し、位置決め・固定することで、平坦な組立式パレット１を形成する。本パレット構造は丈夫で安定し、各部の間で移動或いは変位が生じることはない。基台２０はパレットの周縁及び中央エリアに分布し、またパレットの隅角部に設けられる。
【００３１】
本発明において、曲り管差込部は基台上の異なる位置決め用差込穴に挿入されることで両基台の間隔を調整でき、或いは異なる長さの連接棒で各基台を連接し、組立式パレットの横方向、縦方向における寸法を調整させることができる。
【００３２】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００３３】
１  組立式パレット
２０、２０Ａ、２０Ｂ、２０Ｃ  基台
２１  溝
２２  差込穴
２２１  係止部
２３  基台本体
２３Ａ  第１面
２３Ｂ  第２面
２３１  梁柱状構造
２５  位置決め部
２８  階段部
３０Ａ、３０Ｂ  連接棒
３１Ａ、３１Ｂ  主柱部
３２Ａ、３２Ｂ  曲り管差込部
３６Ｂ  平板部
５０Ａ、５０Ｂ、５０Ｃ  パネル
５１Ａ  結合部
５１Ｃ  平板頭
５１１Ｃ  係止材
５１１Ｄ  凸部
５７Ａ、５７Ｂ、５７Ｃ  嵌合溝
５８Ｂ  隠し係止材
６  接着部材
【図１】
0006024934.tif 000002
【図２】
0006024934.tif 000003
【図３】
0006024934.tif 000004
【図４】
0006024934.tif 000005
【図５】
0006024934.tif 000006
【図６Ａ】
0006024934.tif 000007
【図６Ｂ】
0006024934.tif 000008
【図６Ｃ】
0006024934.tif 000009
【図６Ｄ】
0006024934.tif 000010
【図７】
0006024934.tif 000011
【図８】
0006024934.tif 000012
【図９】
0006024934.tif 000013
【図１０】
0006024934.tif 000014
【図１１Ａ】
0006024934.tif 000015
【図１１Ｂ】
0006024934.tif 000016
【図１２】
0006024934.tif 000017
【図１３】
0006024934.tif 000018